(57)【要約】      （修正有）【課題】文字、図形、模様などの表示部が、暗いところでも鮮明に表示することができる表示板を提供する。【解決手段】透明層と不透明層とからなる複層板、該複層板に凹部を形成し、該凹部に反射面を有する光輝微細片を分散させ、着色塗料を塗布して表示部分を有する第二反射部を形成し、該第二反射部を有する複層板の裏面側に第一反射部材を重合して表示基板を形成し、該表示基板の外周縁の一部を残して反射テープで被覆し、反射テープで遮蔽していない箇所に複数個のＬＥＤを配置して電気回路開閉装置を装備してなる。【選択図】図５
0003155022.tif 000002
【実用新案登録請求の範囲】
【請求項１】
透明層（１０）と不透明層（１１）とが積層状態に形成された複層板（１）、該複層板（１）の不透明層（１１）より透明層（１０）にかけて透明層（１０）の一部を残して後記の表示部分（１２）となる溝状の凹部（１３）を切削形成し、該凹部（１３）に反射面を有する光輝微細片（１４）を分散させて、該光輝微細片（１４）に着色塗料を塗布して光輝微細片（１４）を固着させて文字、図形、模様などの表示部分（１２）を有する第二反射部（１５）を形成し、前記第二反射部（１５）を有する複層板（１）の裏面側に第一反射部材（２）を重合固着して表示基板（Ｓ）を形成し、該表示基板（Ｓ）の外周縁（３）の全周を反射テープ（５）で被覆しないで又は一部を残して反射テープ（５）で被覆し、外周縁（３）の反射テープ（５）で遮蔽していない箇所に複数個のＬＥＤ（４）を配置して外周縁（３）の全体を被覆体（５Ａ）で被覆して該ＬＥＤ（４）に電気回路開閉装置を装備してなることを特徴とする表示板。
【請求項２】
透明層（１０）と不透明層（１１）とが積層状態に形成された複層板（１）、該複層板（１）の不透明層（１１）より透明層（１０）にかけて透明層（１０）の一部を残して後記の表示部分（１２）となる溝状の凹部（１３）を切削形成し、該凹部（１３）に反射面を有する光輝微細片（１４）を分散させて、該光輝微細片（１４）に着色塗料を塗布して光輝微細片（１４）を固着させて文字、図形、模様などの表示部分（１２）を有する第二反射部（１５）を形成し、前記第二反射部（１５）を有する複層板（１）の裏面側に第一反射部材（２）と支持板（６）を一体に重合固着して表示基板（Ｓ１）を形成し、該表示基板（Ｓ１）の外周縁（３）の全周を反射テープ（５）で被覆しないで又は一部を残して反射テープ（５）で被覆し、外周縁（３）の反射テープ（５）で遮蔽していない箇所に複数個のＬＥＤ（４）を配置して外周縁（３）の全体を被覆体（５Ａ）で被覆して該ＬＥＤ（４）に電気回路開閉装置を装備してなることを特徴とする表示板。
【請求項３】
透明層（１０）と金箔不透明層（１１Ｂ）とが積層状態に形成された複層板（１Ａ）、該複層板（１Ａ）の金箔不透明層（１１Ｂ）より透明層（１０）にかけて透明層（１０）の一部を残して後記の表示部分（１２）となる溝状の凹部（１３）を切削形成し、該凹部（１３）に反射面を有する光輝微細片（１４）を分散させて、該光輝微細片（１４）に着色塗料を塗布して光輝微細片（１４）を固着させて文字、図形、模様などの表示部分（１２）を有する第二反射部（１５）を形成し、前記第二反射部（１５）を有する複層板（１Ａ）の裏面側に第一反射部材（２）を重合固着してなる表示基板（Ｓ２）を形成し、該表示基板（Ｓ２）の外周縁（３）の全周を反射テープ（５）で被覆しないで又は一部を残して反射テープ（５）で被覆し、外周縁（３）の反射テープ（５）で遮蔽していない箇所に複数個のＬＥＤ（４）を配置して外周縁（３）の全体を被覆体（５Ａ）で被覆して該ＬＥＤ（４）に電気回路開閉装置を装備してなることを特徴とする表示板。
【請求項４】
透明合成樹脂板（１０Ａ）と不透明合成樹脂板（１１Ａ）に後記の貫通穴（１３Ｂ）で文字、図形、模様などで表示部分（１２Ａ）となる箇所を形成してこれらを重合し、該貫通穴（１３Ｂ）の文字、図形、模様などの表示部分（１２Ａ）に反射面を有する光輝微細片（１４）を分散させて該光輝微細片（１４）に着色塗料を塗布し、着色塗料を乾燥させて、不透明合成樹脂板（１１Ａ）側に第一反射部材（２）を固着して表示基板（Ｓ３）を形成し、該表示基板（Ｓ３）の外周縁（３）を反射テープ（５）で被覆しないで又は外周縁（３）の一部を残して反射テープ（５）で被覆し、該外周部（３）の反射テープ（５）で遮蔽していない箇所に複数個のＬＥＤ（４）を配置して外周縁（３）全体を被覆体（５Ａ）で被覆して該ＬＥＤ（４）に電気回路開閉装置を装備してなることを特徴とする表示板。
【請求項５】
透明合成樹脂板（１０Ｂ）と反射フィルム（１１Ｃ）とが積層状態に形成された一枚ものの複層板（１Ｂ）に、該複層板（１Ｂ）の反射フィルム（１１Ｃ）側より透明合成樹脂板（１０Ｂ）にかけて透明合成樹脂板（１０Ｂ）の一部を残して後記の表示部分（１２）となる溝状の凹部（１３Ｃ）を切削形成し、該凹部（１３Ｃ）に反射面を有する光輝微細片（１４）を分散させて、該光輝微細片（１４）に着色塗料を塗布して光輝微細片（１４）を固着させて文字、図形、模様などの表示部分（１２）を有する第二反射部（１５）を形成し、前記第二反射部（１５）を有する複層板（１Ｂ）の裏面側に第一反射部材（２）を重合固着してなる表示基板（Ｓ４）の外周縁（３）の全部を反射テープ（５）で被覆しないで又は一部を残して反射テープ（５）で被覆し、外周縁（３）の反射テープ（５）で遮蔽していない箇所に複数個のＬＥＤ（４）を配置して外周縁（３）の全体を被覆体（５Ａ）で被覆して該ＬＥＤ（４）に電気回路開閉装置を装備してなることを特徴とする表示板。
【請求項６】
透明合成樹脂板（１０Ｂ）と反射フィルム（１１Ｃ）とが積層状態に形成された一枚ものの複層板（１Ｂ）に、該複層板（１Ｂ）の後記の表示部分（１２）となる反射フィルム面の一部を刃物で削り取り、削り取り凹部（１３Ｄ）を形成し、該削り取り凹部（１３Ｄ）に着色剤を混合した反射面を有する光輝微細片入りインキ（１４Ａ）をスクリーン印刷又は捺染印刷で前記箇所に塗布して、前記の文字、図形、模様などの表示部分（１２Ｂ）を有する第二反射部（１５）を形成し、前記第二反射部（１５）を形成した複層板（１Ｂ）の裏面側に第一反射部材（２）を重合固着して表示基板（Ｓ５）を形成し、表示基板（Ｓ５）の外周縁（３）の全部を反射テープ（５）で被覆しないで又は一部を残して反射テープ（５）で被覆し、外周縁（３）の反射テープ（５）で遮蔽していない箇所に複数個のＬＥＤ（４）を配置して外周縁（３）の全体を被覆体（５Ａ）で被覆して該ＬＥＤ（４）に電気回路開閉装置を装備してなることを特徴とする表示板。
【請求項７】
前記請求項１乃至６の複層板の透明層又は透明合成樹脂板上に、内部に透明液体又は水（１８）を封入した透明液体入り合成樹脂板（１９）を積層一体としたことを特徴とする表示板。
【考案の詳細な説明】
【技術分野】
【０００１】
本考案は、自然光とＬＥＤの入射光による反射手段を備えた表示板に関するものである。
【背景技術】
【０００２】
本出願人が先に出願した表示板、即ち、透明合成樹脂基板の片面に、文字、記号、模様等を形成する溝を形成し、該溝底に透明アクリル樹脂からなる下地層を、また、薄い二枚の透明フィルムの間に着色したアルミ箔を挟んで細断し０．２メッシュ乃至０．５メッシュ程度とした光輝微細片と透明樹脂とを混合してなる中間層を下地層の表面に、さらに該中間層の表面に透明樹脂からなる押圧層を、それぞれ半乾き状態で順次積層して固化させてなる表示板、及び該表示板を表示板本体としてその裏面に更に着色合成樹脂板を接着した表示板（例えば、特許文献１参照。）が公知である。
【先行技術文献】
【特許文献】
【０００３】
【特許文献１】実開平６−２３０７４号公報
【考案の概要】
【考案が解決しようとする課題】
【０００４】
上記特許文献１に係る表示板は、金属光沢を有する反射面を持つ微小な細片（以下、光輝微細片という。）を樹脂層内に練り込む構成により、光線の当たり具合によって反射光の色彩が変化する模様を顕出するものであり、一定の効果が得られるものであった。
【０００５】
しかしながら、反射光の色彩が変化する光輝微細片を備えているものの、蓄光塗料やバックライト等を使用せず自然光のみで使用するものであることから、十分に反射光を得ることが難しい点があり、反射光を得るために、極めて多量の光輝微細片を使用するものであった。
そして、現実的には、極めて多量の光輝微細片を使用した場合であっても、十分な反射光は得難いものであった。
【０００６】
また、光輝微細片はその一つ一つが厚い樹脂内に囲まれるように練り込まれている構成であったことから、更に、十分な反射光を得ることが困難であった。
【０００７】
本考案は以上の事情に鑑みてなされたものであり、透明層と不透明層とが積層状態に形成された複層板に、第二反射部を形成し、これに第一反射部材を重合した表示板の外周縁の一部又は外周縁の全周囲からＬＥＤ光を入射させることにより、自然光とＬＥＤ光とで反射光の色彩が変化する光輝微細片がより一層輝きを増し、暗いところでも光輝微細片で形成した第二反射部の文字、図形、模様などの表示部分を自然光の反射光とＬＥＤ光の入射光とが相俟って、より一層第二反射部を輝かせて、少量の光輝微細片で強力な反射光を得ることができる。
第二反射部はＬＥＤ光の入射により非常に強い反射光を得ることができるため、自然光の弱い場所および夜間での使用が可能となり、室内、室外は勿論のこと、陳列表示板、道路標示、案内板、看板、広告宣伝用表示板、位牌・表札・墓石の文字表示板、さらに、床、壁、階段の案内表示などに使用することができる表示板を提供することを、考案が解決しようとする課題とするものである。
【課題を解決するための手段】
【０００８】
本考案によれば、透明層１０と不透明層１１とが積層状態に形成された複層板１、該複層板１の不透明層１１より透明層１０にかけて透明層１０の一部を残して後記の表示部分となる溝状の凹部１３を切削形成し、該凹部１３に反射面を有する複数の光輝微細片１４が平均的且つ反射面の向きを不規則な状態に分散させて、これに着色塗料を塗布して光輝微細片１４を固着させて文字、図形、模様などの表示部分１２を有する第二反射部１５を形成し、該第二反射部１５を有する複層板１の裏面側に第一反射部材２を重合固着してなる表示基板Ｓを形成し、該表示基板Ｓの外周縁３の全周を反射テープ５で被覆しないで又は一部を残して反射テープ５で被覆し、外周縁３の反射テープ５で被覆していない箇所に複数個のＬＥＤ４を配置して外周縁３の全体を被覆体５Ａで被覆して該ＬＥＤ４に電気回路開閉装置を装備しなる表示板とすることを、課題を解決するための手段とする。
【考案の効果】
【０００９】
本件考案によれば、表面側から光が入射することにより、表面側に近い第二反射部１５により不規則な方向に反射され、さらに表示基板Ｓの外周縁３の遮蔽されていない部分からＬＥＤの入射光により直線光と拡散状の光源が入射されるとともに、第二反射部に生じる隙間から更に内部へ入射した光はその一部が着色塗料層に吸収反射され、着色塗料層を更に透過した光は第一反射部材２により反射され、反射光の一部は着色された色の波長が外方へ出射されることによって、第二反射部１５の不規則な乱反射と該第二反射部１５の隙間からの反射光が有色となって得られる。一方、第二反射部１５は平面的には分散状態にあるものの全体として凹部１３の透明下地層上に位置する構成によって、透明下地層の平面上において、反射面の向きが不規則な状態で部分的に重合して平均的に分散していることから、全体として第二反射部１５は密集して反射する。これらの反射と表示基板Ｓの外周縁３からのＬＥＤ光による入射光とによる相乗効果、すなわち、表面側からの反射光とＬＥＤ光の入射光とによって、第二反射部１５が暗いところでも非常に強く、乱反射による不規則な強い反射光を有する文字、図形、模様などの表示部分１２を得ることができるのである。
【図面の簡単な説明】
【００１０】
【図１】本考案の透明層と不透明層からなる複層板の構成を示す拡大断面図である。
【図２】本考案の実施例１に係る表示基板Ｓの拡大断面図である。
【図３】本考案の実施例１に係る表示基板Ｓの平面図である。
【図４】本考案の実施例１に係る表示基板にＬＥＤを配備した表示板の平面図である。
【図５】本考案の実施例１に係る図４のＡ―Ａ線における拡大断面図である。
【図６】本考案の実施例２の表示基板Ｓ１に支持板６を重合させた拡大断面図である。
【図７】本考案の実施例２に係る表示基板Ｓ１の外周縁の一部を除き反射テープ５で遮蔽し、反射テープで遮蔽していない部分にＬＥＤ光の電気回路開閉装置を装備して表面を除く外周縁及び底面を被覆体５Ａで被覆した状態を示す拡大断面図である。
【図８】本考案の実施例３に係る透明層と金箔不透明層が一体となっている複層板１Ａと第一反射板２との構成関係を示す拡大断面図である。
【図９】本考案の実施例３に係る図８の表示基板Ｓ２の拡大断面図である。
【図１０】本考案の表示基板Ｓ上にさらに内部に水または透明液体を封入した合成樹脂板１９を重合してその外周縁にＬＥＤを配置してその外周縁及び底面を被覆した状態の実施例４の拡大断面図である。
【図１１】本考案の実施例５を示す不透明合成樹脂板に貫通穴１３Ｂで表示部分１２を形成した構成拡大断面図である。
【図１２】本考案の実施例６の透明合成樹脂板と反射フィルムを積層した複層板１Ｂの拡大断面図である。
【図１３】実施例６の表示基板Ｓ４の構成拡大断面図である。
【図１４】本考案の実施例７に使用の一枚ものの透明合成樹脂板と反射フィルムを積層した複層板１Ｂの拡大断面図である。
【図１５】本考案の実施例７の表示基板Ｓ５の構成拡大断面図である。
【図１６】本考案の表示板を案内板に使用した正面図である。
【図１７】本考案の表示板を位牌に使用した状態の正面図である。
【図１８】本考案の表示板を階段に使用した斜視図である。
【図１９】本考案の表示板を廊下の床板に使用した斜視図である。
【考案を実施するための形態】
【００１１】
本考案は、第一反射部材２の反射と、第二反射部１５の隙間から得られる有色の反射光と、さらに表示基板Ｓの外周縁３の複数個のＬＥＤ４の入射光との相乗効果により、強い反射光が得られるため、日中は勿論、暗い場所又は夜間でもより鮮明に明るく見やすい表示板を安価に提供することができる。
【００１２】
図１は本考案の透明層と不透明層からなる複層板の構成を示す拡大断面図、図２は本考案の実施例１に係る表示基板Ｓの拡大断面図、図３は本考案の実施例１に係る表示基板Ｓの平面図、図４は本考案の実施例１に係る表示基板にＬＥＤを配備した表示板の平面図、図５は本考案の実施例１に係る図４のＡ−Ａ線における拡大断面図、図６は本考案の実施例２の表示基板Ｓ１に支持板６を重合させた拡大断面図、図７は本考案の実施例２に係る表示基板Ｓ１の外周縁の一部を除き反射テープ５で遮蔽し、反射テープで遮蔽していない部分にＬＥＤ光の電気回路開閉装置を装備して表面を除く外周縁及び底面を被覆体５Ａで被覆した状態を示す拡大断面図、図８は本考案の実施例３に係る透明層と金箔不透明層が一体となっている複層板１Ａと第一反射板２との構成関係を示す拡大断面図、図９は本考案の実施例３に係る図８の表示基板Ｓ２の拡大断面図、図１０は本考案の表示基板Ｓ上にさらに内部に水または透明液体を封入した合成樹脂板１９を重合してその外周縁にＬＥＤを配置してその外周縁及び底面を被覆した状態の実施例４の拡大断面図、図１１は本考案の実施例５を示す不透明合成樹脂板に貫通穴１３Ｂで表示部分１２を形成した構成拡大断面図、図１２は本考案の実施例６の透明合成樹脂板と反射フィルムを積層した複層板１Ｂの拡大断面図、図１３は実施例６の表示基板Ｓ４の構成拡大断面図、図１４は本考案の実施例７に使用の一枚ものの透明合成樹脂板と反射フィルムを積層した複層板１Ｂの拡大断面図、図１５は本考案の実施例７の表示基板Ｓ５の構成拡大断面図、図１６は本考案の表示板を案内板に使用した正面図、図１７は本考案の表示板を位牌に使用した状態の正面図、図１８は本考案の表示板を階段に使用した斜視図、図１９は本考案の表示板を廊下の床板に使用した斜視図である。
【実施例１】
【００１３】
本考案の実施例１に係る表示基板Ｓは、図１、図２の構成拡大断面図に示すように、厚さ２ｍｍ程度のアクリル樹脂透明板の裏面側に０．５ｍｍの不透明の塗料層が形成されており、透明層１０と不透明層１１とを積層状態として有する複層板１に、不透明層１１側より透明層１０にかけて切削工具で溝状の凹部１３を切削形成する。該凹部１３は、溝状、有底穴状に適宜形成され、表示基板Ｓにおける文字、模様、記号等の輪郭を形成するものである。この凹部１３に不規則な向きに反射面を有する複数の光輝微細片１４を平均的に分散させ、これに着色塗料を塗布して光輝微細片１４を固着させて文字、図形、模様などの表示部分１２を有する第二反射部１５を形成し、この凹部１３側から厚さ０．５ｍｍ程度の反射アルミ板である第一反射部材２を順次重合固着した構成を備え、これら複層板１、第一反射部材２は、夫々周囲を接着剤、両面接着テープ等によって固着するとともに、該表示基板Ｓの外周縁３の全周を反射テープ５で被覆しないで又は一部を残して反射テープ５で被覆し、外周縁３の反射テープ５で遮蔽していない箇所に複数個のＬＥＤ４を配置して外周縁３の全体を被覆体５Ａで被覆して該ＬＥＤ４に電気回路開閉装置を装備してなる表示基板である。
【００１４】
ここで、図２に示すように、複層板１は、不透明層１１側に開口して透明層１０に底面を有する凹部１３を形成し、該凹部１３は溝状、有底穴状で、内部に光輝微細片１４を分散して着色塗料又は透明ワニスの上澄み液を使用して凹部１３に光輝微細片１４を固着させて第二反射部１５を形成している。
【００１５】
第二反射部１５は複数の光輝微細片１４からなるものであり、該光輝微細片１４の反射面は、略六角形状で、反射面の幅が０．５ｍｍ前後程度の樹脂にアルミ箔を蒸着した微小な細片であり、また反射角度によって反射光の色が変化するホログラムチップと呼ばれるものである。本実施例に係る光輝微細片１４は同程度の大きさのもののみを使用している。
【００１６】
第二反射部１５を構成する光輝微細片１４は、略均一に凹部１３の底面に平面上に散らばっており、部分的に光輝微細片１４が相互に重なり合って、反射面の向きが不規則になっている。また、本実施例１に係る光輝微細片１４は、略六角形の板状体として形成されている。
【００１７】
着色塗料は第二反射部１５上に塗布されているが、着色塗料自体が第二反射部１５を構成する光輝微細片１４を安定固着させる働きをするものである。
【００１８】
以上の構成を有する複層板１と第一反射部材２は同形で、図４、図５に示すごとく第一反射部材２の反射面を残すように縁にのみ両面接着テープ又は接着剤を介して固着している。第一反射部材２のうち着色塗料を塗布した凹部１３の対応する位置には、両面接着テープ又は接着剤層を設けず、第一反射部材２とは略当接状態とし、外周縁３の全周を反射テープ５で被覆しないで又は一部を残して反射テープ５で被覆し、外周縁３の反射テープ５で遮蔽していない箇所に複数個のＬＥＤ４を配置して外周縁３の全体を被覆体５Ａで被覆し、該ＬＥＤ４に電気回路開閉装置を装備して外周縁の遮蔽していない箇所にＬＥＤ４の光を入射させて第二反射部１５を構成する光輝微細片１４を乱反射させることにより、より一層表示部分１２の光輝微細片１４を輝かせてより鮮明に表示部分１２を表示させることができる。
【００１９】
また、被覆体５はゴム、合成樹脂板、合成樹脂フィルム、合板、布、紙で被覆してもよい。
【００２０】
尚、野外で使用するときは透明の柔らかい合成製樹脂製のフレキシブル基板を縦に帯状に使いその内部にＬＥＤを封入した厚さ約４ｍｍ完全防水型の製品、商品名（Ｌｕｃｉ  ＦＬＥＸ  株式会社コンテンツ製）を使用する。
あるいは野外で表示板として使用する場合は、太陽電池式ＬＥＤ発光体（発光ダイオード）は、一例としてシリコン単結晶型、３Ｖ、４８０ｍＡを使用し、制御部には逆流防止回路、照度検出回路、発信回路、点灯回路、蓄電部には電気二重層コンデンサを使用し、ＬＥＤを点灯させるため電気回路開閉装置を使用した。
【実施例２】
【００２１】
実施例２に係る考案によれば、図６、図７に示すごとく、透明層１０と不透明層１１とが積層状態に形成された複層板１、該複層板１の不透明層１１より透明層１０にかけて透明層１０の一部を残して後記の表示部分１２となる溝状の凹部１３を切削形成し、該凹部１３に反射面を有する光輝微細片１４を分散させて、該光輝微細片１４に着色塗料を塗布して光輝微細片１４を固着させて文字、図形、模様などの表示部分１２を有する第二反射部１５を形成し、前記第二反射部１５を有する複層板１の裏面側に第一反射部材２と支持板６を一体に重合固着して表示基板Ｓ１を形成し、該表示基板Ｓ１の外周縁３の全周を反射テープ５で被覆しないで又は一部を残して反射テープ５で被覆し、外周縁３の反射テープ５で遮蔽していない箇所に複数個のＬＥＤ４を配置して外周縁３の全体を被覆体５Ａで被覆して該ＬＥＤ４に電気回路開閉装置を装備してなる表示板である。
実施例２は第一反射部材２と支持板６を一体に重合固着しているため、第一反射部材２がアルミニウム板、反射金属板、金属箔蒸着反射フィルム、反射薄板、反射合成樹脂板で、これらの第一反射部材２からなる場合には衝撃に弱く支持板６で第一反射部材２を補強することができ、しかも薄い第一反射部材２で形成できるので軽量で強固な表示基板を提供することができる。
【００２２】
また、外周縁３の反射テープ５で被覆していない箇所に複数個のＬＥＤ４を配置して被覆体５Ａで表面以外を被覆した構成であるから、表示基板Ｓ１の外周縁３の一部を残して反射テープ５で遮蔽した場合は、遮蔽しない部分からＬＥＤ光を入射させるので、入射した方向の反射テープ５と第一反射部材２が反射し、表示基板Ｓ１の表示部分１２の輝きが増し、第二反射部１５の表示部分１２をより強く乱反射させることができる。
【実施例３】
【００２３】
実施例３に係る考案によれば、図９に示すごとく、透明層１０と金箔不透明層１１Ｂとが積層状態に形成された複層板１Ａ、該複層板１Ａの金箔不透明層１１Ｂより透明層１０にかけて透明層１０の一部を残して後記の表示部分１２となる溝状の凹部１３を切削形成し、該凹部１３に反射面を有する光輝微細片１４を分散させて、該光輝微細片１４に着色塗料を塗布して光輝微細片１４を固着させて文字、図形、模様などの表示部分１２を有する第二反射部１５を形成し、前記第二反射部１５を有する複層板１Ａの裏面側に第一反射部材２を重合固着してなる表示基板Ｓ２を形成し、該表示基板Ｓ２の外周縁３の全周を反射テープ５で被覆しないで又は一部を残して反射テープ５で被覆し、外周縁３の反射テープ５で被覆していない箇所に複数個のＬＥＤ４を配置して外周縁３の全体を被覆体５Ａで被覆して該ＬＥＤ４に電気回路開閉装置を装備してなる表示板の構成である。
実施例３の複層板１Ａの不透明層を金箔不透明層１１Ｂで形成すれば、例えば、表示板を表札として使用する場合には表示基板の外周縁３からＬＥＤ光を入射させることにより表示部分１２の文字などが反射されて表札の文字の周囲を鮮明に浮かび上がらせることができる。さらに金箔不透明層１１Ｂに焼き金箔を使用すれば、より豪奢な表札を提供することができる。
また、金箔不透明層１１Ｂにさらに金箔を重合すれば金箔不透明層１１Ｂから漏れる小さい隙間を塞ぎ、不透明さを増し、表面がきれいで完全な金箔不透明層とすることができる。
そしてこれらを室内灯のカバーに使用すれば、この金箔不透明層１１Ｂ或いは焼き金箔不透明層１１Ｄを有するやわらかい上品な輝きをかもし出し、室内インテリアなどとしも利用できるものである。
【実施例４】
【００２４】
実施例４に係る考案によれば、図１０に示すごとく、複層板の透明層又透明合成樹脂板上に、内部に透明液体又は水１８を封入した透明液体入り合成樹脂板１９を積層一体とした表示板からなる構成である。
前記表示基板の上に、内部に水１８を封入した合成樹脂板１９を重合して表示板の周囲からＬＥＤ光を入射させたことから、入射光が透明層１０を透過して水に対して屈折し、乱反射して第一反射部２へ届くため、自然光より強い反射光を得ることができ、また、第二反射部１５が着色層を介して第一反射部材２に密集するように配置されることから、当該第二反射部１５がより反射密集し、水との乱反射による不規則な、強い反射光を得ることができる。
【実施例５】
【００２５】
実施例５に係る考案によれば、図１１に示すごとく、透明合成樹脂板１０Ａと不透明合成樹脂板１１Ａとからなり、不透明合成樹脂板１１Ａに後記の貫通穴１３Ｂで文字、図形、模様などの表示部分１２Ａを形成して、透明合成樹脂板１０Ａと不透明合成樹脂板１１Ａを重合して該貫通穴１３Ｂの文字、図形、模様などの表示部分１２Ａに反射面を有する光輝微細片１４を分散させて該光輝微細片１４に着色塗料を塗布し、着色塗料を乾燥させて、不透明合成樹脂板１１Ａ側に、第一反射部材２を固着して、表示基板Ｓ３を形成し、該表示基板Ｓ３の外周縁３を反射テープ５で被覆しないで又は外周縁３の一部を残して反射テープ５で被覆し、該外周部３の反射テープ５で遮蔽していない箇所に複数個のＬＥＤ４を配置して外周縁３全体を被覆体５Ａで被覆して該ＬＥＤ４に電気回路開閉装置を装備した表示板からなる構成である。
実施例５の透明合成樹脂板１０Ａと不透明合成樹脂板１１Ａを重合させる前に、不透明合成樹脂板１１Ａに予め貫通穴１３Ｂで文字、図形、模様などの表示部分１２Ａを設け、透明合成樹脂板１０Ａと不透明合成樹脂板１１Ａを重合して該表示部分１２Ａに反射面を有する光輝微細片１４を分散し、該部分に着色塗料を塗布し、着色塗料の乾燥後、不透明合成樹脂板１１Ａの裏面側に、第一反射部材２を固着して表示基板Ｓ３を形成し、該表示基板Ｓ３の外周縁３の全周を遮蔽しないで又は外周縁３の一部を残して遮蔽し、該外周部３の遮蔽していない箇所に複数個のＬＥＤ４を配置して、該ＬＥＤ４に電気回路開閉装置を装備してなることを特徴とする表示板とすることで、請求項１に係る考案と比較して透明合成樹脂板１０Ａを切削しないで予め不透明合成樹脂板１１Ａに貫通穴１３Ｂを形成したので、製造容易で、且つ低コストとすることができ、極めて生産効率を向上させることができる。
【実施例６】
【００２６】
実施例６に係る考案によれば、図１２、図１３に示すごとく、透明合成樹脂板１０Ｂと反射フィルム１１Ｃとが積層状態に形成された一枚ものの複層板１Ｂに、該複層板１Ｂの反射フィルム１１Ｃ側より透明合成樹脂板１０Ｂにかけて透明合成樹脂板１０Ｂの一部を残して後記の表示部分１２となる溝状の凹部１３Ｃを切削形成し、該凹部１３Ｃに反射面を有する光輝微細片１４を分散させて、該光輝微細片１４に着色塗料を塗布して光輝微細片１４を固着させて文字、図形、模様などの表示部分１２を有する第二反射部１５を形成し、前記第二反射部１５を有する複層板１Ｂの裏面側に第一反射部材２を重合固着してなる表示基板Ｓ４の外周縁３の全部を反射テープ５で被覆しないで又は一部を残して反射テープ５で被覆し、外周縁３の反射テープ５で遮蔽していない箇所に複数個のＬＥＤ４を配置して外周縁３の全体を被覆体５Ａで被覆して該ＬＥＤ４に電気回路開閉装置を装備してなる表示板の構成である。
前記第二反射部１５を有する複層板１Ｂが一枚ものであるから加工が簡単で特に厚さを薄く形成できるので、使用用途が広い表示板が提供できる。
【実施例７】
【００２７】
実施例７に係る考案によれば、図１４、図１５に示すごとく、透明合成樹脂板１０Ｂと反射フィルム１１Ｃとが積層状態に形成された一枚ものの複層板１Ｂに、複層板１Ｂの後記の表示部分１２Ｂとなる反射フィルム面の一部を刃物または切削工具で削り取り、該削り取り凹部１３Ｄを形成し、該削り取り凹部１３Ｄに着色剤を混合した光輝微細片入りインキ１４Ａを印刷塗布して、前記の文字、図形、模様などの表示部分１２Ｂを有する第二反射部１５を形成し、前記第二反射部１５を形成した複層板１Ｂの裏面側に第一反射部材２を重合固着して表示基板Ｓ５を形成し、表示基板Ｓ５の外周縁３の全部を反射テープ５で被覆しないで又は一部を残して反射テープ５で被覆し、外周縁３の反射テープ５で遮蔽していない箇所に複数個のＬＥＤ４を配置して外周縁３の全体を被覆体５Ａで被覆し、該ＬＥＤ４に電気回路開閉装置を装備してなる表示板の構成である。
外周縁からＬＥＤ４を照射させて印刷により第二反射部１５を形成することができるため、鮮明で微細な表現ができ、しかも量産が可能となり、より広範囲の表示板に応用することができる。
さらに、ＬＥＤ４に電気回路開閉装置を装備して外周縁をＬＥＤで照射させることにより、乱反射の強い表示部を有する表示板が提供できるので、室内装飾、壁面にも応用できる製品を提供することができる。
【実施例８】
【００２８】
実施例８の表示板の製造方法によれば、透明層１０と不透明層１１とが積層状態として形成される複層板１又は透明層１０と金箔不透明層１１Ｂとが積層状態として形成される複層板１Ａを作成し、不透明層１１又は金箔不透明層１１Ｂより透明層１０にかけて透明層１０の一部を残して後記の表示部分１２となる溝状の凹部１３を切削形成し、該凹部１３の底部に反射面を有する光輝微細片１４を分散させ、該光輝微細片１４に着色塗料を塗布乾燥させて光輝微細片１４を前記凹部１３に固着させた後、文字、図形、模様などの表示部分１２を形成した第二反射部１５を形成し、該第二反射部１５側に第一反射部材２を重合固着して表示基板Ｓを形成し、
又は、透明層１０と不透明層１１とが積層状態として形成される複層板１又は透明層１０と金箔不透明層１１Ｂとが積層状態として形成される複層板１Ａを作成し、不透明層１１又は金箔不透明層１１Ｂより透明層１０にかけて透明層１０の一部を残して後記の表示部分１２となる溝状の凹部１３を切削形成し、該凹部１３の底部に反射面を有する光輝微細片１４を分散させ、該光輝微細片１４に着色塗料を塗布乾燥させて光輝微細片１４を前記凹部１３に固着させた後、文字、図形、模様などの表示部分１２を形成した第二反射部１５を形成し、該第二反射部１５側に第一反射部材２と支持板６を重合固着して表示基板Ｓ１を形成し、
各表示基板Ｓ、Ｓ１の外周縁３の全周を反射テープ５で被覆しないで又は外周縁３の一部を残して反射テープ５で被覆し、該外周縁３の反射テープ５で被覆していない箇所に複数個のＬＥＤ４を配置して表示基板の表面を除く全体を被覆体５Ａで被覆し、該ＬＥＤ４に電気回路開閉装置を装備して外周縁よりＬＥＤを照射させて第二反射部１５を鮮明に表示することを特徴とする表示板の製造方法である。
外周縁３の反射テープ５で被覆していない箇所に複数個のＬＥＤ４を配置して被覆体５Ａで表面以外を被覆した構成であるから、各表示基板Ｓ又はＳ１の外周縁３の一部を残して反射テープ５で遮蔽した場合は、遮蔽しない部分からＬＥＤ光を入射させるので、入射した方向の反射テープ５と第一反射部材２が反射し、各表示基板Ｓ又はＳ１の表示部分１２の輝きが増し、第二反射部１５の表示部分１２をより強く乱反射させるものが提供できる。
【実施例９】
【００２９】
実施例９の表示板の製造方法によれば、透明合成樹脂板１０Ｂと反射フィルム１１Ｃとが積層状態に形成された一枚ものの複層板１Ｂに、該複層板１Ｂの反射フィルム１１Ｃ側より透明合成樹脂板１０Ｂにかけて透明合成樹脂板１０Ｂの一部を残して後記の表示部分１２となる溝状の凹部１３Ｃを切削形成し、該凹部１３Ｃに反射面を有する光輝微細片１４を分散させ、該光輝微細片１４に着色塗料を塗布して光輝微細片１４を固着させて文字、図形、模様などの表示部分１２を有する第二反射部１５を形成し、前記第二反射部１５を有する複層板１Ｂの裏面側に第一反射部材２を重合固着してなる表示基板Ｓ４を形成し、
又は、該複層板１Ｂの反射フィルム１１Ｃの一部を刃物で削り取り、後記の表示部分１２Ｂとなる反射フィルム面に削り取り凹部１３Ｄ形成して、該削り取り凹部１３Ｄに反射面を有する光輝微細片１４と着色剤を混合した光輝微細片入りインキ１４Ａでスクリーン印刷又は捺染印刷により前記箇所に塗布して、該部分のインキを乾燥固着させた後、前記の文字、図形、模様などの表示部分１２Ｂを有する第二反射部１５を形成し、前記第二反射部１５を形成した複層板１Ｂの裏面側に第一反射部材２を重合固着して表示基板Ｓ５を形成し、
各表示基板Ｓ４、Ｓ５の外周縁３の全部を反射テープ５で被覆しないで又は一部を残して反射テープ５で被覆し、外周縁３の反射テープ５で被覆していない箇所に複数個のＬＥＤ４を配置して外周縁３の全体を被覆体５Ａで被覆し、該ＬＥＤ４に電気回路開閉装置を装備して外周縁よりＬＥＤを照射させて第二反射部１５を鮮明に表示させることを特徴とする表示板の製造方法である。
溝状凹部１３Ｃ又は削り取り凹部１３Ｄに着色剤を混合した光輝微細片入りインキ１４Ａを印刷塗布して、前記の文字、図形、模様などの表示部分１２Ｂを有する第二反射部１５を形成したので、該第二反射部１５を有する複層板１Ｂを量産することができ、安価で使用用途が広くなり、
第二反射部１５の裏面側に第一反射部材２を重合固着して表示基板Ｓ５を形成し、該表示基板Ｓ５の外周縁３の全部を反射テープ５で被覆しないで又は一部を残して反射テープ５で被覆し、外周縁３の反射テープ５で被覆していない箇所に複数個のＬＥＤ４を配置して外周縁３の全体を被覆体５Ａで被覆し、該ＬＥＤ４に電気回路開閉装置を装備して外周縁をＬＥＤで照射させることを特徴とする表示板を製造することができる。
また、位牌、墓石、壁面、床面などに埋め込み使用する場合は電池とＬＥＤ発光体により点滅させるよう電気回路開閉装置を使用した。
【００３０】
また、光輝微細片に着色塗料を混合させることにより更に透過した光は、第一反射部２により反射され、反射光の一部は外方へ着色された色の波長のみ出射されることによって、前記光輝微細片１４の不規則な乱反射光と、第一反射部材２から着色塗料を介して反射され該光輝微細片１４間の隙間から出射される有色の反射光とが得られる。
【００３１】
また、前記したように、着色塗料を第二反射部１５の凹部１３の内側であって、光輝微細片１４の隙間から直接塗料の色が外部へ露呈し、塗料の色彩がより明瞭となり、視覚効果を良好とすることができるのである。
【００３２】
そして、更に、第ニ反射部１５の光輝微細片１４が平面的には分散状態にあるものの全体として凹部１３の透明の下地に密集して位置する構成によって、透明層の凹部の透明下地の平面上において、反射面の向きが不規則な状態で、部分的に重合して、平均的に分散しているため、全体として光輝微細片１４が密集して反射するのを、さらにその部分をＬＥＤの入射光を反射させることにより、より一層明るい反射光が得られる。
【００３３】
以上の作用による相乗効果によって、表面側からの光の入射によって、非常に強い輝きを有する乱反射と外周縁３からのＬＥＤ４の入射光による不規則な反射光とで表示部分１２により鮮明に輝かせることができるのである。
【００３４】
また、光輝微細片１４はその反射面が略六角形状片であることから、角部からの反射光が目に届くことで、円形状の光輝微細片１４とした場合と比べて反射状態の輪郭がより鮮明となり、反射面の角のシャープな輪郭形状を有する反射光を得ることができる。
また、反射面が略六角形状片としたことによって、側面は六面の平坦面として併せて形成されることから、これらがＬＥＤの入射光と独立した反射面として作用することにより、光輝微細片１４自体の輝きを著しく向上させることができるのである。
【００３５】
次に、上記実施例１に係る表示基板Ｓの製造方法について説明する。
先ず、図１に示すように、アクリル樹脂透明板の裏面側に厚さ０．１ｍｍ未満程度の不透明のウレタン焼付塗装をしてなる複層板１の裏面側に、文字、模様、図形、記号等、所望の意匠を形成しておき、対応する溝を０．１乃至０．２ｍｍの深さで形成する。（尚、図２では理解を容易とするために、ウレタン焼付塗装部分（即ち不透明層）の膜厚を大きくする等適宜厚さ比率を変更して表示している。）
【００３６】
次に、凹部１３の底部に無色透明な透明ワニスの上澄み液を塗布して、その上から反射面を有する光輝微細片１４を分散してその部分に着色塗料を塗布し、着色塗料の乾燥後、透明層１０と不透明層１１を形成する。第二反射部１５の上部は略水平な平坦面として形成しておき、該平坦面に第二反射部１５である光輝微細片１４を、平均的に撒き、第二反射部１５を形成する。
【００３７】
そして、当該光輝微細片１４に対して着色剤を塗布し、着色塗料を塗布する。ここで、本実施例における着色剤は、和信塗料製のコンクステン（商品名）を使用し、塗布には刷毛を用いている。
【００３８】
着色剤は、勿論一例として示したコンクステンに限らず、公知な種々の着色剤を使用することができるし、種々の色を配合使用することができる。
また、塗布方法についても、例えば、吹付け等、刷毛以外の種々の公知塗布手段を利用することができる。
【００３９】
着色剤を乾燥させた後、複層板１の裏面側のうち、光輝微細片１４を収納する凹部１３の開口部（即ち、着色剤を塗布した部分）を除いて、両面接着テープまたは接着剤を介して、第一反射部材２であるアルミ板を重合固着する。
【００４０】
次いで、支持板６を第一反射部材２であるアルミ板の裏面側へ接着剤を用いて接着し、複層板１、第一反射部材２及び支持板６の外周縁３の全周及び外周縁の一部を残して反射テープ５などで被覆し、被覆していない外周縁よりＬＥＤ４の光を入射させて裏面側に露出する支持板６の全体に対して接着剤を用いて被覆体５Ａで被覆して完成する。
【００４１】
また、本考案における第一反射部材２は、上記実施例１及び実施例２においてアルミ板としたが、本考案はこれに限るものではなく、例えば鏡面を有する板状体等とすることもできるし、金属膜を蒸着により形成した軟質フィルム等とすることもできる。
【００４２】
更に、複層板若しくは透明板及び不透明板はいずれも必ずしも硬質である必要はなく、ナイロン、フッ素樹脂、ポリプロピレンの軟質の透明層若しくは軟質の透明板に、前記合成樹脂製のフィルム状の薄膜等のように軟質として形成した不透明層若しくは不透明板を積層することもできる。
そして、例えば前記したように第一反射部材を軟質フィルム等の反射部材として組み合せることによって、表示基板を軟質なものとして形成することができる。
尚、軟質とは弾性を有するもののみを示すのではなく、可撓性を有すればよい趣旨である。
【産業上の利用可能性】
【００４３】
以上に示した本考案に係る表示板は、ＬＥＤ光を使用することにより硬質、軟質を問わず、看板、装飾板や表札のほか、道路標識、車両のナンバープレート、夜間安全用反射板、夜間安全用反射テープ等としても使用することができるし、また、田畑等における鳥の駆除具等、風によってなびいて乱反射光による視覚上の効果を与えるものとして使用することもできる。
【符号の説明】
【００４４】
１        複層板
１Ａ      複層板
１Ｂ      複層板
２        第一反射部材
３        外周縁
４        ＬＥＤ
５        反射テープ
５Ａ      被覆体
６        支持板
１０        透明層
１０Ａ      透明合成樹脂板
１０Ｂ      透明合成樹脂板
１１        不透明層
１１Ａ      不透明合成樹脂板
１１Ｂ      金箔不透明層
１１Ｃ      反射フィルム
１１Ｄ      焼き金箔不透明層
１２        表示部分
１２Ａ      表示部分
１２Ｂ      表示部分
１３        凹部
１３Ｂ      貫通穴
１３Ｃ      凹部
１３Ｄ      削り取り凹部
１４        光輝微細片
１４Ａ      光輝微細片入りインキ
１５        第二反射部
１８        透明液体又は水
１９        透明液体入り合成樹脂板
Ｓ        表示基板
Ｓ１      表示基板
Ｓ２      表示基板
Ｓ３      表示基板
Ｓ４      表示基板
Ｓ５      表示基板
Ｆ        踏み板
Ｈ        壁面
Ｊ        床板
【図１】
0003155022.tif 000003
【図２】
0003155022.tif 000004
【図３】
0003155022.tif 000005
【図４】
0003155022.tif 000006
【図５】
0003155022.tif 000007
【図６】
0003155022.tif 000008
【図７】
0003155022.tif 000009
【図８】
0003155022.tif 000010
【図９】
0003155022.tif 000011
【図１０】
0003155022.tif 000012
【図１１】
0003155022.tif 000013
【図１２】
0003155022.tif 000014
【図１３】
0003155022.tif 000015
【図１４】
0003155022.tif 000016
【図１５】
0003155022.tif 000017
【図１６】
0003155022.tif 000018
【図１７】
0003155022.tif 000019
【図１８】
0003155022.tif 000020
【図１９】
0003155022.tif 000021
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
透明層（１０）と不透明層（１１）とが積層状態に形成された複層板（１）、該複層板（１）の不透明層（１１）より透明層（１０）にかけて透明層（１０）の一部を残して後記の表示部分（１２）となる溝状の凹部（１３）を切削形成し、該凹部（１３）に反射面を有する光輝微細片（１４）を分散させて、該光輝微細片（１４）に着色塗料を塗布して光輝微細片（１４）を固着させて文字、図形、模様などの表示部分（１２）を有する第二反射部（１５）を形成し、前記第二反射部（１５）を有する複層板（１）の裏面側に第一反射部材（２）を重合固着して表示基板（Ｓ）を形成し、該表示基板（Ｓ）の外周縁（３）の全周を反射テープ（５）で被覆しないで又は一部を残して反射テープ（５）で被覆し、外周縁（３）の反射テープ（５）で遮蔽していない箇所に複数個のＬＥＤ（４）を配置して外周縁（３）の全体を被覆体（５Ａ）で被覆して該ＬＥＤ（４）に電気回路開閉装置を装備してなることを特徴とする表示板。
【請求項２】
透明層（１０）と不透明層（１１）とが積層状態に形成された複層板（１）、該複層板（１）の不透明層（１１）より透明層（１０）にかけて透明層（１０）の一部を残して後記の表示部分（１２）となる溝状の凹部（１３）を切削形成し、該凹部（１３）に反射面を有する光輝微細片（１４）を分散させて、該光輝微細片（１４）に着色塗料を塗布して光輝微細片（１４）を固着させて文字、図形、模様などの表示部分（１２）を有する第二反射部（１５）を形成し、前記第二反射部（１５）を有する複層板（１）の裏面側に第一反射部材（２）と支持板（６）を一体に重合固着して表示基板（Ｓ１）を形成し、該表示基板（Ｓ１）の外周縁（３）の全周を反射テープ（５）で被覆しないで又は一部を残して反射テープ（５）で被覆し、外周縁（３）の反射テープ（５）で遮蔽していない箇所に複数個のＬＥＤ（４）を配置して外周縁（３）の全体を被覆体（５Ａ）で被覆して該ＬＥＤ（４）に電気回路開閉装置を装備してなることを特徴とする表示板。
【請求項３】
透明層（１０）と金箔不透明層（１１Ｂ）とが積層状態に形成された複層板（１Ａ）、該複層板（１Ａ）の金箔不透明層（１１Ｂ）より透明層（１０）にかけて透明層（１０）の一部を残して後記の表示部分（１２）となる溝状の凹部（１３）を切削形成し、該凹部（１３）に反射面を有する光輝微細片（１４）を分散させて、該光輝微細片（１４）に着色塗料を塗布して光輝微細片（１４）を固着させて文字、図形、模様などの表示部分（１２）を有する第二反射部（１５）を形成し、前記第二反射部（１５）を有する複層板（１Ａ）の裏面側に第一反射部材（２）を重合固着してなる表示基板（Ｓ２）を形成し、該表示基板（Ｓ２）の外周縁（３）の全周を反射テープ（５）で被覆しないで又は一部を残して反射テープ（５）で被覆し、外周縁（３）の反射テープ（５）で遮蔽していない箇所に複数個のＬＥＤ（４）を配置して外周縁（３）の全体を被覆体（５Ａ）で被覆して該ＬＥＤ（４）に電気回路開閉装置を装備してなることを特徴とする表示板。
【請求項４】
透明合成樹脂板（１０Ａ）と不透明合成樹脂板（１１Ａ）に後記の貫通穴（１３Ｂ）で文字、図形、模様などで表示部分（１２Ａ）となる箇所を形成してこれらを重合し、該貫通穴（１３Ｂ）の文字、図形、模様などの表示部分（１２Ａ）に反射面を有する光輝微細片（１４）を分散させて該光輝微細片（１４）に着色塗料を塗布し、着色塗料を乾燥させて、不透明合成樹脂板（１１Ａ）側に第一反射部材（２）を固着して表示基板（Ｓ３）を形成し、該表示基板（Ｓ３）の外周縁（３）を反射テープ（５）で被覆しないで又は外周縁（３）の一部を残して反射テープ（５）で被覆し、該外周部（３）の反射テープ（５）で遮蔽していない箇所に複数個のＬＥＤ（４）を配置して外周縁（３）全体を被覆体（５Ａ）で被覆して該ＬＥＤ（４）に電気回路開閉装置を装備してなることを特徴とする表示板。
【請求項５】
透明合成樹脂板（１０Ｂ）と反射フィルム（１１Ｃ）とが積層状態に形成された一枚ものの複層板（１Ｂ）に、該複層板（１Ｂ）の反射フィルム（１１Ｃ）側より透明合成樹脂板（１０Ｂ）にかけて透明合成樹脂板（１０Ｂ）の一部を残して後記の表示部分（１２）となる溝状の凹部（１３Ｃ）を切削形成し、該凹部（１３Ｃ）に反射面を有する光輝微細片（１４）を分散させて、該光輝微細片（１４）に着色塗料を塗布して光輝微細片（１４）を固着させて文字、図形、模様などの表示部分（１２）を有する第二反射部（１５）を形成し、前記第二反射部（１５）を有する複層板（１Ｂ）の裏面側に第一反射部材（２）を重合固着してなる表示基板（Ｓ４）の外周縁（３）の全部を反射テープ（５）で被覆しないで又は一部を残して反射テープ（５）で被覆し、外周縁（３）の反射テープ（５）で遮蔽していない箇所に複数個のＬＥＤ（４）を配置して外周縁（３）の全体を被覆体（５Ａ）で被覆して該ＬＥＤ（４）に電気回路開閉装置を装備してなることを特徴とする表示板。
【請求項６】
透明合成樹脂板（１０Ｂ）と反射フィルム（１１Ｃ）とが積層状態に形成された一枚ものの複層板（１Ｂ）に、該複層板（１Ｂ）の後記の表示部分（１２）となる反射フィルム面の一部を刃物で削り取り、削り取り凹部（１３Ｄ）を形成し、該削り取り凹部（１３Ｄ）に着色剤を混合した反射面を有する光輝微細片入りインキ（１４Ａ）をスクリーン印刷又は捺染印刷で前記箇所に塗布して、前記の文字、図形、模様などの表示部分（１２Ｂ）を有する第二反射部（１５）を形成し、前記第二反射部（１５）を形成した複層板（１Ｂ）の裏面側に第一反射部材（２）を重合固着して表示基板（Ｓ５）を形成し、表示基板（Ｓ５）の外周縁（３）の全部を反射テープ（５）で被覆しないで又は一部を残して反射テープ（５）で被覆し、外周縁（３）の反射テープ（５）で遮蔽していない箇所に複数個のＬＥＤ（４）を配置して外周縁（３）の全体を被覆体（５Ａ）で被覆して該ＬＥＤ（４）に電気回路開閉装置を装備してなることを特徴とする表示板。
【請求項７】
内部に透明液体又は水（１８）を封入した透明液体入り合成樹脂板（１９）を、複層板の透明層又は透明合成樹脂板上に、積層一体としたことを特徴とする請求項１乃至請求項６のいずれか一項に記載の表示板。